【手続補正書】
【提出日】平成19年5月17日(2007.5.17)
【手続補正１】
【補正対象書類名】特許請求の範囲
【補正対象項目名】全文
【補正方法】変更
【補正の内容】
【特許請求の範囲】
【請求項１】
a. 注入口および第一流出口および第二流出口を有するチャネル；
b. 注入口と第二流出口の間には配置されず、注入口と第一流出口の間に配置される、第一篩；ならびに
c. 粒子を第一篩へ導く、力発生装置
を含む、粒子の濃度を高めるための装置。
【請求項２】
力発生装置が、第二流出口を通してよりも第一流出口を通してより大きな流速を生じる、請求項1記載の装置。
【請求項３】
篩がチャネルの領域内に配置されており、かつ、領域に入る流体が篩を通って引き込まれるように、篩を含む領域内の点で広がっているチャネルを、力発生装置が含む、請求項1記載の装置。
【請求項４】
注入口と第二流出口の間の流れの方向の、篩の長手方向に沿った圧力損失が、実質的に一定である、請求項3記載の装置。
【請求項５】
第三流出口、および、注入口と第三流出口の間に配置される第二篩をさらに含む、請求項1記載の装置であって、篩がチャネルの領域内に配置され、かつ、領域に入る流体が篩を通って引き込まれるように、篩を含む領域内の点で広がっているチャネルを、力発生装置が含む、装置。
【請求項６】
注入口と第二流出口の間の流れの方向の、篩の長手方向に沿った圧力損失が、実質的に一定である、請求項5記載の装置。
【請求項７】
力発生装置が二つの電極を含み、かつ、DC電圧が電極に加えられる場合、荷電した粒子が、電気泳動によって第一篩に向かうまたは離れる方向に移動できるように、第一篩が電極の間に配置される、請求項1記載の装置。
【請求項８】
誘電泳動によって第一篩に向かうまたは離れる方向に粒子が移動できるような、不均一な電場を生じることのできる、二つまたはそれ以上の電極を、力発生装置が含む、請求項1記載の装置。
【請求項９】
粒子が遠心力によって第一篩に向かって移動できるように、力発生装置が、湾曲したチャネルを含む、請求項1記載の装置。
【請求項１０】
第一篩が、母体赤血球を通過させるが、胎児赤血球を通過させない、請求項1記載の装置。
【請求項１１】
粒子含有流体から、粒子の標的集団中で濃縮された試料を産生する方法であって、以下の段階を含む方法：
a. i. 注入口および第一流出口および第二流出口を有するチャネル；
ii. 注入口と第二流出口の間には配置されず、注入口と第一流出口の間に配置される、第一篩；ならびに
iii. 粒子を第一篩へ導くための力発生装置
を含む装置を供給する段階；
b. 粒子含有流体を、注入口を通ってチャネル内へ導く段階；
c. 流体中の粒子が第一篩へ導かれ、かつ、粒子のサイズ、形、または変形能に基づいて第一篩を実質的に通過するまたは通過しないように、力発生装置を作動させる段階；ならびに
d. 標的集団の粒子が第一篩を実質的に通過する場合には第一流出口から、または、標的集団の粒子が第一篩を実質的に通過しない場合には第二流出口から、標的集団の粒子を含む硫出物を回収し、それにより、粒子の標的集団中で濃縮された試料を産生する段階。
【請求項１２】
力発生装置が、第二流出口を通してよりも第一流出口を通してより大きな流速を生じる、請求項11記載の方法。
【請求項１３】
篩がチャネルの領域内に配置されており、かつ、領域に入る流体が篩を通って引き込まれるように、篩を含む領域内の点で広がっているチャネルを、力発生装置が含む、請求項11記載の方法。
【請求項１４】
注入口と第二流出口の間の流れの方向の、篩の長手方向に沿った圧力損失が、実質的に一定である、請求項13記載の方法。
【請求項１５】
装置が、第三流出口、および、注入口と第三流出口の間に配置される第二篩をさらに含み、篩がチャネルの領域内に配置され、かつ、領域に入る流体が篩を通って引き込まれるように、篩を含む領域内の点で広がっているチャネルを、力発生装置が含む、請求項11記載の方法。
【請求項１６】
注入口と第二流出口の間の流れの方向の、篩の長手方向に沿った圧力損失が、実質的に一定である、請求項15記載の方法。
【請求項１７】
装置が、第三流出口、および、注入口と第三流出口の間に配置される第二篩をさらに含み、篩がチャネルの領域内に配置され、かつ、領域に入る流体が篩を通って引き込まれるように、篩を含む領域内の点で広がっているチャネルを、力発生装置が含む、請求項11記載の方法。
【請求項１８】
力発生装置が二つの電極を含み、かつ、DC電圧が電極に加えられる場合、荷電した粒子が、電気泳動によって第一篩に向かうまたは離れる方向に移動できるように第一篩が電極の間に配置される、請求項11記載の方法。
【請求項１９】
誘電泳動によって第一篩に向かうまたは離れる方向に粒子が移動できるような、不均一な電場を生じることのできる電極を、力発生装置が含む、請求項11記載の方法。
【請求項２０】
粒子が遠心力によって第一篩に向かって移動できるように、力発生装置が、湾曲したチャネルを含む、請求項11記載の方法。
【請求項２１】
標的集団が胎児赤血球を含む、請求項11記載の方法。
【請求項２２】
血液試料から第一の細胞型を濃縮するための装置であって、該第一の細胞型を第一の方向へおよび第二の細胞型を第二の方向へ導く二列の障害物を含むチャネルと連絡している、第一注入口を含み、かつ、該第一の方向に第一流出口および該第二の方向に第二流出口を含む、装置。
【請求項２３】
第一の細胞型が胎児赤血球である、請求項22記載の装置。
【請求項２４】
第一の細胞型がガン細胞である、請求項22記載の装置。
【請求項２５】
第二の細胞型が、除核された赤血球、または血小板である、請求項22記載の装置。
【請求項２６】
第一の細胞型が第二の細胞型より大きい、請求項22記載の装置。
【請求項２７】
血液試料中の第一の細胞型の少なくとも90％が、第一の方向へ導かれる、請求項22記載の装置。
【請求項２８】
血液試料中の第一の細胞型の少なくとも95％が、第一の方向へ導かれる、請求項22記載の装置。
【請求項２９】
二列の障害物は平行である、請求項22記載の装置。
【請求項３０】
重合体を含む、請求項22記載の装置。
【請求項３１】
二列の障害物が、第一の細胞型を第一の方向および第三の方向へ導く、請求項22記載の装置であって、第三の方向に第三流出口をさらに含む、装置。
【請求項３２】
チャネルが圧力発生装置と連結している、請求項22記載の装置。
【請求項３３】
圧力発生装置が流体力学的圧力を発生させる、請求項32記載の装置。
【請求項３４】
圧力発生装置が遠心力を発生する、請求項32記載の装置。
【請求項３５】
圧力発生装置が、第一注入口と第一流出口の間の第一の圧力、および第一注入口と第二流出口の間の第二の圧力を維持する、請求項32記載の装置。
【請求項３６】
第一の圧力が第二の圧力より小さい、請求項35記載の装置。
【請求項３７】
圧力発生装置が、障害物の列の一つ全体にわたって一定の圧力損失を発生させる、請求項32記載の装置。
【請求項３８】
チャネルと連絡した第二注入口をさらに含む、請求項22記載の装置。
【請求項３９】
第一の細胞型および第二の細胞型を含む流体試料から、第一の細胞型を濃縮するための装置であって、装置が、第一の細胞型を第一の方向へおよび第二の細胞型を第二の方向へ導く複数の障害物を含むチャネルに流体的に連結している第一注入口を含み、該第一の細胞型が、ガン細胞または胎児赤血球であり、かつ、装置が、該第一の方向に第一流出口および該第二の方向に第二流出口をさらに含む、装置。
【請求項４０】
第二の細胞型が、除核された赤血球、または血小板である、請求項39記載の装置。
【請求項４１】
第二の細胞型の少なくとも95％が、第二の方向へ導かれる、請求項39記載の装置。
【請求項４２】
第一の複数の障害物に対して直列または並列に配置される、第二の複数の障害物をさらに含む、請求項39記載の装置。
【請求項４３】
第二の複数の障害物が第一の複数の障害物に対して直列に配置され、該第二の複数の障害物中の障害物が、該第一の複数の障害物中の障害物よりも短い距離で間隔をあけている、請求項22記載の装置。
【請求項４４】
重合体を含む、請求項39記載の装置。
【請求項４５】
注入口に隣接する点と比較して、複数の障害物に隣接する点において、チャネルがより広い、請求項39記載の装置。
【請求項４６】
チャネルが圧力発生装置と連結している、請求項39記載の装置。
【請求項４７】
圧力発生装置が流体力学的圧力を発生する、請求項46記載の装置。
【請求項４８】
圧力発生装置が遠心力を供給する、請求項46記載の装置。
【請求項４９】
圧力発生装置が、第一注入口と第一流出口の間の第一の圧力、および、第一注入口と第二流出口の間の第二の圧力を維持している、請求項46記載の装置。
【請求項５０】
第一の圧力が第二の圧力より小さい、請求項49記載の装置。
【請求項５１】
複数の障害物全体にわたる圧力損失が一定である、請求項39記載の装置。
【請求項５２】
チャネルと連絡した第二注入口をさらに含む、請求項39記載の装置。
【請求項５３】
一つまたは複数の胎児赤血球を第一の方向へ、および一つまたは複数の非胎児赤血球を第二の方向へ導く、複数の障害物を含むチャネルに連結した第一注入口を含む装置に、流体試料を注入する工程を含む、胎児赤血球および非胎児赤血球を含む流体試料中の一つまたは複数の胎児赤血球を濃縮するための方法であって、該装置が、該第一の方向に第一流出口および該第二の方向に第二流出口をさらに含む、方法。
【請求項５４】
非胎児赤血球が赤血球または血小板である、請求項53記載の方法。
【請求項５５】
流体試料が母体血液試料である、請求項53記載の方法。
【請求項５６】
試料に遠心力を加える工程をさらに含む、請求項53記載の方法。
【請求項５７】
一つまたは複数のガン細胞を第一の方向へ、および一つまたは複数の非ガン細胞を第二の方向へ導く、複数の障害物を含むチャネルに連結した第一注入口を含む装置に、流体試料を注入する工程を含む、ガン細胞および非ガン細胞を含む流体試料から、一つまたは複数のガン細胞を濃縮するための方法であって、該装置が、該第一の方向に第一流出口および該第二の方向に第二流出口をさらに含む、方法。
【請求項５８】
非ガン細胞が赤血球または血小板である、請求項57記載の方法。
【請求項５９】
流体試料が血液試料である、請求項57記載の方法。
【請求項６０】
試料に遠心力を加える工程をさらに含む、請求項57記載の方法。
【請求項６１】
血液試料をチャネルに送達するために適合化された第一注入口を含む装置に、該血液試料を注入する工程を含む、第一の細胞型および第二の細胞型を含む血液試料から、第一の細胞型を濃縮するための方法であって、該チャネルが、第一の細胞型を第一の方向へおよび第二の細胞型を第二の方向へ導く、二列の障害物を含み、かつ該装置が、該第一の方向に第一流出口および該第二の方向に第二流出口を含む、方法。
【請求項６２】
障害物が、微少流体の隙間によって互いに分離される、請求項61記載の方法。
【請求項６３】
第一の細胞型が有核細胞であって、第二の細胞型が除核された細胞である、請求項61記載の方法。